【手続補正書】
【提出日】平成17年6月20日(2005.6.20)
【手続補正１】
【補正対象書類名】明細書
【補正対象項目名】特許請求の範囲
【補正方法】変更
【補正の内容】
【特許請求の範囲】
【請求項１】
ベース部に固定された円筒状の軸受ハウジングと、該軸受ハウジング内に嵌合された一対の軸受と、該一対の軸受によって支持された回転軸と、前記ベース部側に固定されたステータと、該ステータに対向させて前記回転軸側に固定されたロータと、前記回転軸側に固定されたインペラとを備えたファンモータであって、
前記軸受ハウジングの一端部に、前記回転軸の近傍まで径方向に延びるシールド部を形成し、前記軸受ハウジングの他端部側の開口から該軸受ハウジング内に前記一対の軸受を挿入、嵌合させ、前記軸受ハウジングの他端部にキャップ部材を装着して前記軸受ハウジング内をシールドしたことを特徴とするファンモータ。
【請求項２】
前記一対の軸受は、前記シールド部および前記キャップ部材にそれぞれ当接して固定されることを特徴とする請求項1に記載のファンモータ。
【請求項３】
前記一対の軸受は、シールド無しボールベアリングおよびスリーブベアリングであることを特徴とする請求項1または2に記載のファンモータ。
【請求項４】
前記一対の軸受の間には、スペーサが設けられていることを特徴とする請求項1乃至3のいずれかに記載のファンモータ。
【請求項５】
前記スペーサの外周面には、軸方向に沿って該スペーサの両端面を互いに連通する油溝が形成され、前記スペーサの両端面には、径方向に該スペーサの外周面と内周面とを連通する油溝が形成されていることを特徴とする請求項4に記載のファンモータ。
【手続補正２】
【補正対象書類名】明細書
【補正対象項目名】０００８
【補正方法】変更
【補正の内容】
【０００８】
【課題を解決するための手段】
上記の課題を解決するために、請求項1に係る発明は、ベース部に固定された円筒状の軸受ハウジングと、該軸受ハウジング内に嵌合された一対の軸受と、該一対の軸受によって支持された回転軸と、前記ベース部側に固定されたステータと、該ステータに対向させて前記回転軸側に固定されたロータと、前記回転軸側に固定されたインペラとを備えたファンモータであって、
前記軸受ハウジングの一端部に、前記回転軸の近傍まで径方向に延びるシールド部を形成し、前記軸受ハウジングの他端部側の開口から該軸受ハウジング内に前記一対の軸受を挿入、嵌合させ、前記軸受ハウジングの他端部にキャップ部材を装着して前記軸受ハウジング内をシールドしたことを特徴とする。
このように構成したことにより、シールド部およびキャップ部材によって軸受ハウジング内がシールドされるので、シールドを備えた軸受を使用することなく、軸受の防塵および潤滑油の飛散の防止を行うことができる。一対の軸受を一方からハウジング内に嵌合させる構造としたことにより、一対の軸受の同心を容易に確保することができる。また、シールドされた軸受ハウジング内において、一対の軸受相互間で潤滑油が授受される。
請求項2に係るファンモータは、上記請求項1の構成において、前記一対の軸受は、前記シールド部およびキャップ部材にそれぞれ当接して固定されることを特徴とする。
このように構成したことにより、一対の軸受は、キャップ部材を軸受ハウジングに装着することによって、シールド部およびキャップ部材によって固定される。
請求項3の発明に係るファンモータは、上記請求項1または2の構成において、前記一対の軸受は、シールド無しボールベアリングおよびスリーブベアリングであることを特徴とする。
このように構成したことにより、シールド無しボールベアリングとスリーブベアリングとの間で潤滑油が授受される。
請求項4の発明に係るファンモータは、上記請求項1乃至3のいずれかの構成において、前記一対の軸受の間には、スペーサが設けられていることを特徴とする。
このように構成したことにより、軸受ハウジングの他端部側の開口から該軸受ハウジング内に一対の軸受を挿入、嵌合できると共に、所望の軸受スパンを得ることができる。
請求項5の発明に係るファンモータは、上記請求項4の構成において、前記スペーサの外周面には、軸方向に沿って該スペーサの両端面を互いに連通する油溝が形成され、前記スペーサの両端面には、径方向に該スペーサの外周面と内周面とを連通する油溝が形成されていることを特徴とする。
このように構成したことにより、一対の軸受の間で、スペーサの油溝を介して、潤滑油を相互に授受することができる。
なお、本明細書中で使用している「ファンモータ」という用語は、本来の意味のほか、より圧力比の大きいブロワをも包含するものとする。
【手続補正３】
【補正対象書類名】明細書
【補正対象項目名】０００９
【補正方法】変更
【補正の内容】
【０００９】
【発明の実施の形態】
以下、本発明の実施形態を図面に基づいて詳細に説明する。
本発明の第1実施形態について図1を参照して説明する。図1に示すように、本実施形態のファンモータ20は、内面にテーパを設けた円筒状のベンチュリ部21と、ベンチュリ部21の一端部中央に、径方向に延びる複数のリブ22によって固定されたベース部23と、ベース部23からベンチュリ部21内へ延びるベンチュリ部21と同心で有底円筒状の軸受ハウジング24とを一体に成型した合成樹脂製のケーシング25を備えている。軸受ハウジング24の一端部には、中心部に開口26Aを有する底部が形成されており、この底部によって後述するシールド部26が形成されている。
【手続補正４】
【補正対象書類名】明細書
【補正対象項目名】００３３
【補正方法】変更
【補正の内容】
【００３３】
【発明の効果】
以上詳述したように、請求項1の発明に係るファンモータによれば、シールド部およびキャップ部材によって軸受ハウジング内がシールドされるので、シールドを備えた軸受を使用することなく、軸受の防塵および潤滑油の飛散防止を行うことができる。その結果、高価なシールド付ボールベアリングが不要となり、製造コストを低減することができる。一対の軸受を一方から軸受ハウジング内に嵌合させる構造としたことにより、軸受ハウジングの軸受嵌合部を一体の金型によって成型することが可能となり、一対の軸受の同心を容易に確保することができる。また、シールドされた軸受ハウジング内において、一対の軸受相互間で潤滑油が授受されるので、潤滑油の不足を解消することができ、軸受の長寿命化を図ることができる。
請求項2の発明に係るファンモータによれば、軸受ハウジングにキャップ部材を装着することにより、一対の軸受を軸受ハウジングのシールド部およびキャップ部材に当接させて固定することができる。
請求項3の発明に係るファンモータによれば、シールド無しボールベアリングとスリーブベアリングとの間で潤滑油を授受することができ、潤滑油の不足を解消して、ボールベアリングおよびスリーブベアリングの長寿命化を図ることができる。
請求項4の発明に係るファンモータによれば、スペーサを設けたことにより、軸受ハウジングの他端部側の開口から該軸受ハウジング内に一対の軸受を挿入、嵌合できると共に、所望の軸受スパンを得ることができる。
請求項5の発明に係るファンモータによれば、一対の軸受の間で、スペーサの油溝を介して、潤滑油を相互に授受することができ、潤滑油の不足を解消することができる。
【手続補正５】
【補正対象書類名】図面
【補正対象項目名】図１
【補正方法】変更
【補正の内容】
【図１】
2004040926.tif 000001
【手続補正６】
【補正対象書類名】図面
【補正対象項目名】図２
【補正方法】変更
【補正の内容】
【図２】
2004040926.tif 000002
【手続補正７】
【補正対象書類名】図面
【補正対象項目名】図３
【補正方法】変更
【補正の内容】
【図３】
2004040926.tif 000003
【手続補正８】
【補正対象書類名】図面
【補正対象項目名】図４
【補正方法】変更
【補正の内容】
【図４】
2004040926.tif 000004
【手続補正９】
【補正対象書類名】図面
【補正対象項目名】図１１
【補正方法】変更
【補正の内容】
【図１１】
2004040926.tif 000005